(57)【要約】【課題】位相変換誤差を補正し、コンポジット映像信号を高品位に処理する映像信号処理装置を提供すること。【解決手段】コンポジット映像信号のサンプリング位相を変換する第１の位相変換手段（４）と、この第１の位相変換手段からの信号をＹ信号とＣ信号に分離するＹＣ分離手段（５）と、このＹＣ分離手段からのＣ信号のサンプリング位相を逆変換する第２の位相変換手段（６）と、この第２の位相変換手段からのＣ信号をＲ−Ｙ信号とＢ−Ｙ信号にデコードするカラーデコード手段（７）と、このカラーデコード手段にデコードのための信号を発生する信号発生手段（８）と、前記第１の位相変換手段からの信号の位相誤差を検出する位相誤差検出手段（９）と、前記位相誤差検出手段で検出された位相誤差を補正し、前記第１の位相変換手段、前記第２の位相変換手段、及び前記信号発生手段を制御する制御手段（１１）と、から構成されている。【選択図】図１
2009094566.tif 000002
【特許請求の範囲】
【請求項１】
コンポジット映像信号のサンプリング位相を変換する第１の位相変換手段と、
この第１の位相変換手段からの信号をＹ信号とＣ信号に分離するＹＣ分離手段と、
このＹＣ分離手段からのＣ信号のサンプリング位相を逆変換する第２の位相変換手段と、
この第２の位相変換手段からのＣ信号をＲ−Ｙ信号とＢ−Ｙ信号にデコードするカラーデコード手段と、
このカラーデコード手段にデコードのための信号を発生する信号発生手段と、
前記第１の位相変換手段からの信号の位相誤差を検出する位相誤差検出手段と、
前記位相誤差検出手段で検出された位相誤差を補正し、前記第１の位相変換手段、前記第２の位相変換手段、及び前記信号発生手段を制御する制御手段と、
を具備したことを特徴とする映像信号処理装置。
【請求項２】
前記位相誤差検出手段で検出された位相誤差を前記制御手段からの出力に加える加算手段を備え、前記加算手段は、加算結果を前記信号発生手段に出力することを特徴とする請求項１に記載の映像信号処理装置。
【請求項３】
前記位相誤差検出手段で検出された位相誤差を前記制御手段からの出力に加える加算手段を備え、前記加算手段は、加算結果を前記第２の位相変換手段に出力することを特徴とする請求項１に記載の映像信号処理装置。
【請求項４】
前記ＹＣ分離手段にて１ライン以上の信号遅延がある場合、前記位相誤差検出手段で検出された位相誤差をライン補間する補間手段を備えたことを特徴とする請求項１乃至３のいずれかに記載の映像信号処理装置。
【請求項５】
前記ＹＣ分離手段にて１ライン以上の信号遅延がある場合、前記位相誤差検出手段で検出された位相誤差をライン補間する補間手段を備え、前記補間手段は、補間結果を前記加算手段に出力することを特徴とする請求項２に記載の映像信号処理装置
【発明の詳細な説明】
【技術分野】
【０００１】
本発明は、コンポジット映像信号を処理する映像信号処理装置に関する。
【背景技術】
【０００２】
図６は、従来例に係る映像信号処理装置の構成を示すブロック図である。図６において、端子１から入力されるコンポジット映像信号は、Ａ／Ｄ変換回路２にて、クロック発生回路３で発生されたクロック信号によりデジタル信号に変換される。
【０００３】
第１の位相変換回路４は、Ａ／Ｄ変換回路２からのデジタル信号を周波数ｆｈ（３３．２３１ＭＨｚ）のラインロッククロックからバーストロックした周波数４ｆｓｃ（１４．３２ＭＨｚ）のクロックに位相変換する。ＹＣ分離回路５は、第１の位相変換回路４からの信号をＹ信号とＣ信号に分離する。第２の位相変換回路６は、ＹＣ分離回路５からのＣ信号をｆｈのラインロッククロックに位相変換する。
【０００４】
カラーデコード回路７は、第２の位相変換回路６からのＣ信号を、ＳＩＮ・ＣＯＳ発生回路８からのバーストロックしたサイン（ＳＩＮ）波、コサイン（ＣＯＳ）波により、色差信号（Ｂ−Ｙ信号、Ｒ−Ｙ信号）にデコードする。ＮＣＯ制御回路１１は、第１の位相変換回路４、第２の位相変換回路６、およびＳＩＮ・ＣＯＳ発生回路８にバーストロックしたｆｓｃのサイン波の位相情報を供給する。
【０００５】
バースト位相検出回路３２は、カラーデコード回路７からのＲ−Ｙ信号からバースト位相の補正量Ｃを検出する。この補正量Ｃに加算器１０にて所定の基準値Ｓが加えられ、ＮＣＯ制御回路１１に供給される。
【０００６】
上述した従来の映像信号処理装置においては、周波数ビートの影響による画質劣化をなくすために単一クロック（ラインロッククロック）を用いており、ＹＣ分離処理には４ｆｓｃに同期したサンプリングを行なっている。この際、コンポジット映像信号に対してバースト位相に同期した４ｆｓｃのサンプリング位相とするため、サンプリング位相変換を行っている。
【０００７】
この位相変換では、図７のように、バーストロックでのＲ−Ｙ信号の値が０となることを利用し、ＮＣＯ制御回路１１を制御しバーストロックしたｆｓｃのサイン波を発生する。このサイン波を基準とし、第１の位相変換回路４、第２の位相変換回路６、およびカラーデコード回路７が動作する。
【０００８】
この従来の回路構成では、バースト位相の補正量Ｃをフィードバックするフィードバックループを構成しているため、ＣＨの切り替え時やビデオテープの伸びなどにより映像信号のｆｓｃが変動した場合、位相変換後のコンポジット映像信号には変換誤差が含まれるという問題がある。
【０００９】
なお、特許文献１には、コンポジット映像信号をＹＣ分離し、Ｃ信号をＲ−Ｙ信号、Ｂ−Ｙ信号にデコードする映像信号処理装置が記載されている。
【特許文献１】特開２００５−２１０５７７号公報
【発明の開示】
【発明が解決しようとする課題】
【００１０】
本発明の目的は、位相変換誤差を補正し、コンポジット映像信号を高品位に処理する映像信号処理装置を提供することにある。
【課題を解決するための手段】
【００１１】
本発明の一形態の映像信号処理装置は、コンポジット映像信号のサンプリング位相を変換する第１の位相変換手段と、この第１の位相変換手段からの信号をＹ信号とＣ信号に分離するＹＣ分離手段と、このＹＣ分離手段からのＣ信号のサンプリング位相を逆変換する第２の位相変換手段と、この第２の位相変換手段からのＣ信号をＲ−Ｙ信号とＢ−Ｙ信号にデコードするカラーデコード手段と、このカラーデコード手段にデコードのための信号を発生する信号発生手段と、前記第１の位相変換手段からの信号の位相誤差を検出する位相誤差検出手段と、前記位相誤差検出手段で検出された位相誤差を補正し、前記第１の位相変換手段、前記第２の位相変換手段、及び前記信号発生手段を制御する制御手段と、から構成されている。
【発明の効果】
【００１２】
本発明によれば、位相変換誤差を補正し、コンポジット映像信号を高品位に処理する映像信号処理装置を提供できる。
【発明を実施するための最良の形態】
【００１３】
以下、実施の形態を図面を参照して説明する。
【００１４】
（第１の実施の形態）
図１は、本発明の第１の実施の形態に係る映像信号処理装置の構成を示すブロック図である。図１において、端子１から入力されるＮＴＳＣコンポジット映像信号は、Ａ／Ｄ変換回路２にて、クロック発生回路３で発生されたクロック信号により、周波数ｆｈ（３３．２３１ＭＨｚ）のラインロッククロックによってサンプリングされて、デジタル信号に変換される。
【００１５】
第１の位相変換回路４は、Ａ／Ｄ変換回路２からのデジタル信号をバーストロックした周波数４ｆｓｃ（１４．３２ＭＨｚ）のクロックに位相変換する。これは、ＹＣ分離は、バーストロックした４ｆｓｃサンプリングで行う方が有利なためである。ＹＣ分離回路５は、第１の位相変換回路４からの信号をＹ信号とＣ信号に分離する。第２の位相変換回路６は、ＹＣ分離回路５からのＣ信号をｆｈのラインロッククロックに位相変換する。
【００１６】
カラーデコード回路７は、第２の位相変換回路６からのＣ信号を、ＳＩＮ・ＣＯＳ発生回路８からのバーストロックしたサイン（ＳＩＮ）波、コサイン（ＣＯＳ）波により、色差信号（Ｂ−Ｙ信号、Ｒ−Ｙ信号）にデコードする。ここでＣ信号にはフィードバック制御に起因する位相誤差が含まれている。この位相誤差を打ち消すよう、後述するように補正量として位相誤差情報がＮＣＯ（Numerically Controlled Oscillator：数値制御オシレータ）制御回路１１からのアドレスに加算されＳＩＮ・ＣＯＳ発生回路８のアドレスに入力される。
【００１７】
バースト位相誤差検出回路９は、バースト信号のサンプリングポイントがサイン波の０°、９０°、１８０°、２７０°から何度ずれているかを検出し、位相誤差情報とＮＣＯ補正量ＮＣを発生する。ＮＣＯ補正量ＮＣは、バースト信号のサンプリングポイントのずれがゼロになるように加算器１０に供給され、基準値Ｓに加算されＮＣＯ制御回路１１に供給される。基準値Ｓは、ＮＣＯ制御回路１１からの位相情報により制御されるＳＩＮ・ＣＯＳ発生器８にバースト信号の周波数ｆｓｃ（３．５８ＭＨｚ）のサイン波を発生させる値である。前述したＮＣＯ補正量ＮＣにより制御されるフィードバックループを構成する。
【００１８】
ＮＣＯ制御回路１１は、第１の位相変換回路４、第２の位相変換回路６、および加算器１２に、バーストロックしたサイン波の位相情報を供給する。加算器１２は、この位相情報にバースト位相誤差検出回路９からの位相誤差情報を加えて、前述したＣ信号の位相誤差を打ち消すようＳＩＮ・ＣＯＳ発生回路８にアドレスを供給する。
【００１９】
図２は、ＮＣＯ制御回路１１の動作を示す図である。図２に示すようにＮＣＯ制御回路１１では、周波数ｆｈのラインロッククロックに同期して、基準値にＮＣＯ補正量が加算された値を発生しＳＩＮ・ＣＯＳ発生器８のアドレスに与えられ、サイン波を生成する。
【００２０】
本第１の実施の形態の映像信号処理装置によれば、ＣＨの切り替え時やビデオテープの伸びなどにより映像信号のｆｓｃが変動し、位相変換に誤差が発生した場合でも、この誤差をバースト信号から検出し打ち消すよう補正することで、高品位のカラーデコードが可能になる。
【００２１】
以下、ＮＣＯについて波形記憶装置として１０２４ワードのＲＯＭを用いた場合を例に説明する。１０２４ワードのＲＯＭの任意のアドレスをＡとした場合、アドレスＡに１２７×ｓｉｎ（３６０°×Ａ／１０２４）を記憶しておく。ｓｉｎは０以上１以下の値をとるため、サイン波の振幅は０以上１２７以下の値となり７ｂｉｔの２進数で表すことができる。
【００２２】
ここで、クロックに同期してアドレスＡを一定の値Ｎずつ加算してＲＯＭからデータを読み出すとき、クロック周波数をＸとすると、サイン波の周波数Ｆは
Ｆ＝Ｘ×Ｎ／１０２４    …（式１）
となる。よって、Ｘが一定であるとき、Ｎを可変することにより周期Ｔを任意の周波数にて制御できる。また、アドレス１ワードごとの違いは３６０度／１０２４ワード＝０．３５度となる。よって、アドレスＡの読み出しにオフセットを与えることにより、０．３５度の分解能でサイン波の位相を制御できる。
【００２３】
以下、本実施の形態におけるＮＣＯの動作を説明する。前述の波形記憶装置がＳＩＮ・ＣＯＳ発生器８に相当し、ＮＣＯ制御回路１１は図２のようなアドレスを生成する回路となる。
【００２４】
バースト信号の周波数はｆｓｃ＝３．５８ＭＨｚであるため、これにロックさせるためのＮは、式１より
Ｎ＝１０２４×Ｆ／Ｘ    …（式２）
となる。ラインロッククロックは３３．２３１ＭＨｚ、バースト周波数は３．５８ＭＨｚであるから、式２より
Ｎ＝１０２４×３．５８（ＭＨｚ）／３３．２３１（ＭＨｚ）
となり、Ｎ＝１１０となる。この値が図１の基準値Ｓとなる。
【００２５】
バースト位相誤差検出回路９で位相誤差が検出されるとき、これをゼロとするような補正を行う。誤差が例えば１０度であったとすると、ＮＣＯアドレスに換算すると１０度は、
１０／０．３５＝２８となる。しかし、このままの値を用いて補正するとＮＣＯの動作が急峻になりすぎ安定しないため、誤差値を平均化し、ある程度の時定数を持たせた値が補正量ＮＣとなる。
【００２６】
また、アドレスＡはサイン波の位相を示すものとなる。位相θ＝３６０×Ａ／１０２４となる。例えばＡが２５６であるとき、位相θは９０度である。ＮＣＯ制御回路１１では、アドレスＡをｆｓｃの位相情報として第１の位相変換回路４、第２の位相変換回路６、およびＳＩＮ・ＣＯＳ発生器８に供給する。
【００２７】
ここでは、ラインロッククロックは３３．２３１ＭＨｚで説明したが、ラインロッククロックは３３．２３１ＭＨｚに限定されず任意の周波数が使用でき、基準値となるＮは１１０に限定されず任意の値を設定可能とする。
【００２８】
（第２の実施の形態）
図３は、本発明の第２の実施の形態に係る映像信号処理装置の構成を示すブロック図である。図３において図１と同一な部分には同符号が付してある。
【００２９】
図１の構成では、ＮＣＯ制御回路１１からの位相情報に加算器１２で位相誤差情報が加えられて、ＳＩＮ・ＣＯＳ発生回路８に供給されたが、図３の構成では、ＮＣＯ制御回路１１からの位相情報に加算器１２で位相誤差情報が加えられて、第２の位相変換回路６に供給される。
【００３０】
本第２の実施の形態の映像信号処理装置によれば、位相誤差を打ち消すように位相情報に位相誤差情報を加算することで、高品位のＹＣ分離、カラーデコードが可能になる。
【００３１】
（第３の実施の形態）
図４は、本発明の第３の実施の形態に係る映像信号処理装置の構成を示すブロック図である。図４において図１と同一な部分には同符号が付してある。
【００３２】
図４が図１と異なる点は、バースト位相誤差検出回路９からの位相誤差情報をライン補間するライン補間回路１３が追加されていることである。また、ＹＣ分離回路５では、１ライン遅延してＹＣ分離が行なわれる。
【００３３】
図５は、本第３の実施の形態による位相誤差情報補間のタイミングチャートである。ＹＣ分離回路５で１ライン遅延されている場合、バースト位相誤差検出回路９で１ライン前のバースト位相誤差情報を保持しておき、ライン補間回路１３で１ライン前と現ラインの位相誤差の差分を取ることにより、その差分でライン補間された位相誤差情報を得る。
【００３４】
ライン補間回路１３では、図５に示すように、１ライン前のバースト位相誤差をＸ０、現ラインのバースト位相誤差をＸ１としたとき、その差（Ｘ１−Ｘ０）で与えられる量を用いて位相誤差情報を補間する。例えば、１ラインを４等分し、等分した各期間を時間の早いほうからＨ１、Ｈ２、Ｈ３、Ｈ４とした場合、
Ｈ１を補正する補正量は、Ｘ０、
Ｈ２を補正する補正量は、Ｘ０＋１×（Ｘ１−Ｘ０）／４、
Ｈ３を補正する補正量は、Ｘ０＋２×（Ｘ１−Ｘ０）／４、
Ｈ４を補正する補正量は、Ｘ０＋３×（Ｘ１−Ｘ０）／４
とする。
【００３５】
このようにライン補間された位相誤差情報が加算器１２に供給されることで、位相誤差の変動が大きい場合にも１ライン遅延後の位相誤差を精度良く補正ができる。
【００３６】
本第３の実施の形態の映像信号処理装置によれば、ライン間での位相誤差の差分を基に位相誤差情報のライン補間を行うことにより、誤差変動が大きい場合の位相誤差補正を最適化し、精度良くカラーデコードを行なうことが可能となる。
【００３７】
なお、本発明は上記各実施の形態のみに限定されず、要旨を変更しない範囲で適宜変形して実施できる。
【図面の簡単な説明】
【００３８】
【図１】本発明の第１の実施の形態に係る映像信号処理装置の構成を示すブロック図。
【図２】本発明の第１の実施の形態に係るＮＣＯ回路の動作を示す図。
【図３】本発明の第２の実施の形態に係る映像信号処理装置の構成を示すブロック図。
【図４】本発明の第３の実施の形態に係る映像信号処理装置の構成を示すブロック図。
【図５】本発明の第３の実施の形態に係る補間動作を示す図。
【図６】従来例に係るコンポジット信号のサンプリング位相変換の動作を示す図。
【図７】従来例に係るコンポジット信号のサンプリング位相変換の動作を示す図。
【符号の説明】
【００３９】
１…端子  ２…Ａ／Ｄ変換回路  ３…クロック発生回路  ４…第１の位相変換回路  ５…ＹＣ分離回路  ６…第２の位相変換回路  ７…カラーデコード回路  ８…ＳＩＮ・ＣＯＳ発生回路  ９…バースト位相誤差検出回路  １０…加算器  １１…ＮＣＯ制御回路    １２…加算器  １３…ライン補間回路
【図１】
2009094566.tif 000003
【図２】
2009094566.tif 000004
【図３】
2009094566.tif 000005
【図４】
2009094566.tif 000006
【図５】
2009094566.tif 000007
【図６】
2009094566.tif 000008
【図７】
2009094566.tif 000009